(57)【要約】  ＨＤＭＩ通信プロトコルに基づく第一信号を入力するＨＤＭＩインタフェース部（２１０）と、インターネットプロトコルに基づくネットワーク（３０００）に接続されたコントローラ（３００）から、コントローラ（３００）とは異なるＨＤＭＩシンク変換器（４００）のネットワーク（３０００）上のアドレス情報を、ネットワーク（３０００）を介して受信するＩＰインタフェース部（２３０）と、ＨＤＭＩインタフェース部（２１０）に入力された第一信号に少なくともアドレス情報を付加することにより、ＨＤＭＩ通信プロトコルに基づく第一信号をインターネットプロトコルに基づく第二信号に変換する変換部（２２０）と、を備え、ＩＰインタフェース部（２３０）は、ネットワーク（３０００）を介して第二信号をＨＤＭＩシンク変換器（４００）へ送信する。
2019082263.tif 000002
【特許請求の範囲】
【請求項１】
ＨＤＭＩ（登録商標）（High-Definition Multimedia Interface）通信プロトコル及びＵＳＢ（Universal Serial Bus）通信プロトコルの一方である第一通信プロトコルに基づく第一信号を入力する第一インタフェース部と、
インターネットプロトコルである第二通信プロトコルに基づくネットワークに接続されたコントローラから、前記コントローラとは異なる他の変換器の前記ネットワーク上のアドレス情報を、前記ネットワークを介して受信する第二インタフェース部と、
前記第一インタフェース部に入力された前記第一信号に少なくとも前記アドレス情報を付加することにより、前記第一通信プロトコルに基づく前記第一信号を前記第二通信プロトコルに基づく第二信号に変換する変換部と、を備え、
前記第二インタフェース部は、前記ネットワークを介して前記第二信号を前記他の変換器へ送信する、
変換器。
【請求項２】
前記第二インタフェース部は、
前記第二信号に基づいて所定の搬送信号を変調して変調信号を電力線に出力することにより、前記第二信号を前記他の変換器へ送信する電力線通信部を備える、
請求項１に記載の変換器。
【請求項３】
前記変換器は、
前記電力線通信部及び前記変換部を収容する筐体と、
前記筐体に配置された電力供給のための第一ソケットと、
ＨＤＭＩソケット及びＵＳＢコネクタの少なくとも一方であり、前記筐体に配置された第二ソケットと、を備え、
前記第一インタフェース部は、前記第二ソケットを介して前記第一信号を入力する、
請求項２に記載の変換器。
【請求項４】
ＨＤＭＩ通信プロトコル及びＵＳＢ通信プロトコルの一方である第一通信プロトコルで通信可能に第一機器と接続され、かつ、インターネットプロトコルである第二通信プロトコルに基づくネットワークに接続された第一変換器と、
前記第一通信プロトコルで通信可能に第二機器と接続され、かつ、前記ネットワークに接続された第二変換器と、
前記ネットワークに接続されたコントローラと、を備え、
前記第一変換器は、
前記第一機器から、前記第一通信プロトコルに基づく第一信号を入力する第一インタフェース部と、
前記ネットワークを介して、前記コントローラから前記第二変換器の前記ネットワーク上のアドレス情報を受信する第二インタフェース部と、
前記第一信号に前記アドレス情報を付加することにより、前記第一通信プロトコルに基づく前記第一信号を前記第二通信プロトコルに基づく第二信号に変換する第一変換部と、を備え、
前記第二インタフェース部は、前記ネットワークを介して前記第二変換器へ前記第二信号を送信し、
前記第二変換器は、
前記ネットワークを介して、前記第一変換器から前記第二信号を受信する第四インタフェース部と、
前記第二信号から前記アドレス情報を除去することにより、前記第二信号を前記第一信号に逆変換する第二変換部と、
前記第二変換部によって逆変換された前記第一信号を、前記第一通信プロトコルに基づいて前記第二機器に出力する第三インタフェース部と、を備える、
データ転送システム。
【請求項５】
前記第二変換器の前記アドレス情報は、第二アドレス情報であり、
前記第一変換器の前記第一インタフェース部は、前記第一機器から第一機器情報を入力し、
前記第二変換器の前記第三インタフェース部は、前記第二機器から第二機器情報を入力し、
前記コントローラは、
前記ネットワークを介して、前記第一変換器から前記第一機器情報及び前記第一変換器の前記ネットワーク上の第一アドレス情報を受信し、かつ、前記第二変換器から前記第二機器情報及び前記第二アドレス情報を受信する第五インタフェース部と、
前記第一機器情報及び前記第二機器情報を表示する表示部と、
前記表示部に表示された前記第一機器情報及び前記第二機器情報に基づいて、前記第一機器及び前記第二機器のペアリングのための入力を受ける入力部と、を備え、
前記入力部が前記ペアリングのための入力を受けた場合に、前記第五インタフェース部は、前記ネットワークを介して、前記第一機器と前記第二機器との間で前記第一通信プロトコルに基づく接続を確立するため第一メッセージ及び前記第二アドレス情報を前記第一変換器に送信し、前記第一メッセージ及び前記第一アドレス情報を前記第二変換器に送信する、
請求項４に記載のデータ転送システム。
【請求項６】
前記第一変換器の前記第二インタフェース部は、前記第二変換器に前記第二信号の送信を開始するときに、前記コントローラに第二メッセージを送信し、
前記コントローラの前記表示部は、前記第五インタフェース部が前記第二メッセージを受信した場合に、前記第一機器情報の表示態様を変更する、
請求項５に記載のデータ転送システム。
【請求項７】
前記コントローラの前記入力部は、前記第五インタフェース部が前記第二メッセージを受信した場合に、前記第一機器に対するペアリングのための入力を禁止する、
請求項６に記載のデータ転送システム。
【発明の詳細な説明】
【技術分野】
【０００１】
本発明は、ＨＤＭＩ（登録商標）（High-Definition Multimedia Interface）及び／又はＵＳＢ（Universal Serial Bus）により接続される機器間のデータ変換及びデータ転送に関する。
【背景技術】
【０００２】
映像音響機器とその関連機器及び周辺機器とは、ＨＤＭＩ／ＵＳＢケーブルで接続されることが多い。したがって、複数の部屋に離れて配置された機器同士を接続するためには、部屋をまたいでＨＤＭＩ／ＵＳＢケーブルを敷設する必要がある。【０００３】
住宅内のＨＤＭＩ／ＵＳＢケーブルの敷設は、外観及び費用の観点から問題となる場合がある。例えば、居間に設置されたＢＤ（Blu-ray（登録商標） Disc）プレーヤと、寝室に設置されたテレビとを接続するために、居間及び寝室の壁面に沿ってＨＤＭＩケーブルを敷設すれば部屋の外観を損ない、壁の中にケーブルを敷設すれば多くの費用がかかる。また、寝室に設置されたテレビで視聴した番組を別の部屋に設置されたＨＤＤ（ハードディスクドライブ）に記録するために、ＵＳＢケーブルを敷設するのも同様である。【０００４】
そこで、ＨＤＭＩ機器間又はＵＳＢ機器間の接続において、ＬＡＮ（Local Area Network）で中継する技術が提案されている（例えば、特許文献１を参照）。これにより、ＨＤＭＩ／ＵＳＢ接続の一部分をＬＡＮに置き換えることができる。つまり、ＨＤＭＩ／ＵＳＢケーブルの一部をＬＡＮケーブルに置き換えることができ、ＨＤＭＩ／ＵＳＢケーブルの長さを削減することができる。ＬＡＮケーブルは、ＨＤＭＩ／ＵＳＢケーブルよりも取り回しが容易であるので、特許文献１では、機器接続のための配線の煩雑さを軽減することもできる。
【先行技術文献】
【特許文献】
【０００５】
【特許文献１】特表２０１４−５０４０６３号公報
【発明の概要】
【発明が解決しようとする課題】
【０００６】
しかしながら、上記従来技術では、機器同士は一対一で固定的に接続されるため、機器の接続関係を変更することが難しい。例えば、居間に設置されたＢＤプレーヤと寝室に設置されたテレビとがＬＡＮを介してＨＤＭＩ接続されている場合に、その接続を解除し、当該ＢＤプレーヤを他の寝室に設置されたテレビに接続することは難しい。【０００７】
そこで、本発明は、離れて配置された複数の機器間の配線の煩雑さを軽減しつつ、複数の機器間のＨＤＭＩ又はＵＳＢによる接続関係を容易に変更することができる変換器又はデータ転送システムを提供する。
【課題を解決するための手段】
【０００８】
本発明の一態様に係る変換器は、ＨＤＭＩ通信プロトコル及びＵＳＢ通信プロトコルの一方である第一通信プロトコルに基づく第一信号を入力する第一インタフェース部と、インターネットプロトコルである第二通信プロトコルに基づくネットワークに接続されたコントローラから、前記コントローラとは異なる他の変換器の前記ネットワーク上のアドレス情報を、前記ネットワークを介して受信する第二インタフェース部と、前記第一インタフェース部に入力された前記第一信号に少なくとも前記アドレス情報を付加することにより、前記第一通信プロトコルに基づく前記第一信号を前記第二通信プロトコルに基づく第二信号に変換する変換部と、を備え、前記第二インタフェース部は、前記ネットワークを介して前記第二信号を前記他の変換器へ送信する。【０００９】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【００１０】
本発明の一態様に係る変換器は、離れて配置された複数の機器間の配線の煩雑さを軽減しつつ、複数の機器間のＨＤＭＩ又はＵＳＢによる接続関係を容易に変更することができる。
【図面の簡単な説明】
【００１１】
【図１】図１は、実施の形態１に係るデータ転送システムのネットワーク構成図である。
【図２】図２は、実施の形態１に係るデータ転送システムの機能構成を示すブロック図である。
【図３】図３は、実施の形態１に係るコントローラの記憶部に格納された機器接続テーブルの一例を示す図である。
【図４Ａ】図４Ａは、実施の形態１に係るデータ転送システムのシーケンス図である。
【図４Ｂ】図４Ｂは、実施の形態１に係るデータ転送システムのシーケンス図である。
【図５】図５は、実施の形態１に係るデータ転送システムのシーケンス図である。
【図６】図６は、実施の形態１におけるグラフィカルユーザインタフェース（ＧＵＩ）の一例を示す図である。
【図７】図７は、実施の形態２に係る変換器の斜視図である。
【図８】図８は、実施の形態２に係るデータ転送システムの機能構成を示すブロック図である。
【図９】図９は、実施の形態２の変形例に係る変換器の斜視図である。
【発明を実施するための形態】
【００１２】
以下、実施の形態について、図面を参照しながら具体的に説明する。
【００１３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１４】
（実施の形態１）
［データ転送システムのネットワーク構成］
まず、実施の形態１に係るデータ転送システムのネットワーク構成について説明する。図１は、実施の形態１に係るデータ転送システム１０００のネットワーク構成図であり、後述するように、接続されるＨＤＭＩ機器がＨＤＭＩソース機器であるかＨＤＭＩシンク機器であるかが認識された後の状態を示している。
【００１５】
データ転送システム１０００は、ＨＤＭＩソース機器１００ａ、１００ｂ、１００ｃと、ＨＤＭＩソース変換器２００ａ、２００ｂ、２００ｃと、コントローラ３００と、ＨＤＭＩシンク変換器４００ｘ、４００ｙ、４００ｚと、ＨＤＭＩシンク機器５００ｘ、５００ｙ、５００ｚと、を備える。
【００１６】
ＨＤＭＩソース機器１００ａ、１００ｂ、１００ｃは、ＨＤＭＩ標準規格においてソースと定義される送信器である。例えば、ＨＤＭＩソース機器１００ａ、１００ｂ、１００ｃの各々は、ＢＤプレーヤ、ＤＶＤプレーヤ、ＨＤＤ（Hard Disk Drive）レコーダ等であり、映像音響信号を送信する。なお、以降において、ＨＤＭＩソース機器１００ａ、１００ｂ、１００ｃを特に区別する必要がない場合は、ＨＤＭＩソース機器１００と記載する。
【００１７】
ＨＤＭＩソース変換器２００ａ、２００ｂ、２００ｃは、ＨＤＭＩ変換器であり、ＨＤＭＩソース機器１００ａ、１００ｂ、１００ｃが接続されたときに、ＨＤＭＩソース変換器として機能する。ＨＤＭＩソース変換器２００ａ、２００ｂ、２００ｃは、インターネットプロトコル（ＩＰ）に基づくネットワーク３０００に接続されている。ネットワーク３０００は、例えば、ＬＡＮ、イントラネット、インターネット等である。さらに、ＨＤＭＩソース変換器２００ａ、２００ｂ、２００ｃは、ＨＤＭＩ通信プロトコルで通信可能に、ＨＤＭＩソース機器１００ａ、１００ｂ、１００ｃと個別に接続されている。具体的には、ＨＤＭＩソース変換器２００ａ、２００ｂ、２００ｃは、それぞれＨＤＭＩケーブル２０００ａ、２０００ｂ、２０００ｃを介して、ＨＤＭＩソース機器１００ａ、１００ｂ、１００ｃと個別に接続されている。ＨＤＭＩケーブル２０００ａ、２０００ｂ、２０００ｃは、ＨＤＭＩ標準規格に準拠するケーブルである。なお、以降において、ＨＤＭＩソース変換器２００ａ、２００ｂ、２００ｃを特に区別する必要がない場合は、ＨＤＭＩソース変換器２００と記載する。なお、ＨＤＭＩソース機器とＨＤＭＩソース変換器との接続は必ずしも有線接続である必要はなく、無線接続であってもよい。
【００１８】
コントローラ３００は、ネットワーク３０００に接続されており、ＨＤＭＩソース機器１００ａ、１００ｂ、１００ｃと、ＨＤＭＩシンク機器５００ｘ、５００ｙ、５００ｚとの接続を制御する。コントローラ３００は、例えばホームサーバ、タブレットコンピュータ、スマートフォン等である。
【００１９】
ＨＤＭＩシンク変換器４００ｘ、４００ｙ、４００ｚは、ＨＤＭＩ変換器であり、ＨＤＭＩシンク機器５００ｘ、５００ｙ、５００ｚが接続されたときに、ＨＤＭＩシンク変換器として機能する。ＨＤＭＩシンク変換器４００ｘ、４００ｙ、４００ｚは、ネットワーク３０００に接続されている。さらに、ＨＤＭＩシンク変換器４００ｘ、４００ｙ、４００ｚは、ＨＤＭＩ通信プロトコルで通信可能に、ＨＤＭＩシンク機器５００ｘ、５００ｙ、５００ｚと個別に接続されている。具体的には、ＨＤＭＩシンク変換器４００ｘ、４００ｙ、４００ｚは、それぞれＨＤＭＩケーブル４０００ｘ、４０００ｙ、４０００ｚを介して、ＨＤＭＩシンク機器５００ｘ、５００ｙ、５００ｚと個別に接続されている。ＨＤＭＩケーブル４０００ｘ、４０００ｙ、４０００ｚは、ＨＤＭＩ標準規格に準拠するケーブルである。なお、以降において、ＨＤＭＩシンク変換器４００ｘ、４００ｙ、４００ｚを特に区別する必要がない場合は、ＨＤＭＩシンク変換器４００と記載する。
【００２０】
ＨＤＭＩシンク機器５００ｘ、５００ｙ、５００ｚは、ＨＤＭＩ標準規格においてシンクと定義される受信器である。例えば、ＨＤＭＩシンク機器５００ｘ、５００ｙ、５００ｚの各々は、テレビ、プロジェクタ等であり、映像音響信号を受信する。なお、以降において、ＨＤＭＩシンク機器５００ｘ、５００ｙ、５００ｚを特に区別する必要がない場合は、ＨＤＭＩシンク機器５００と記載する。なお、ＨＤＭＩシンク機器とＨＤＭＩシンク変換器との接続は必ずしも有線接続である必要はなく無線接続であってもよい。
【００２１】
ここでは、３つの部屋に分散して、ＨＤＭＩソース機器及びＨＤＭＩシンク機器が配置されている。詳細には、ＨＤＭＩソース機器１００ａ、ＨＤＭＩソース変換器２００ａ、コントローラ３００、ＨＤＭＩシンク変換器４００ｘ、及びＨＤＭＩシンク機器５００ｘは、第一部屋に配置されている。ＨＤＭＩソース機器１００ｂ、ＨＤＭＩソース変換器２００ｂ、ＨＤＭＩシンク変換器４００ｙ、及びＨＤＭＩシンク機器５００ｙは、第二部屋に配置されている。ＨＤＭＩソース機器１００ｃ、ＨＤＭＩソース変換器２００ｃ、ＨＤＭＩシンク変換器４００ｚ、及びＨＤＭＩシンク機器５００ｚは、第三部屋に配置されている。
【００２２】
ここで、ＨＤＭＩソース変換器２００及びＨＤＭＩシンク変換器４００は、単にネットワーク３０００に接続されているのみではＨＤＭＩ変換器であり、ＨＤＭＩケーブルを介して物理的に接続される機器に応じてＨＤＭＩソース変換器あるいはＨＤＭＩシンク変換器として機能する。例えば、電源がＯＮされたＨＤＭＩソース機器１００又はＨＤＭＩシンク機器５００が、ＨＤＭＩ変換器にケーブル接続された際に、ＨＤＭＩ変換器は、ＨＤＭＩソース変換器２００又はＨＤＭＩシンク変換器５００として機能する。このとき、ＨＤＭＩ変換器は、ＨＤＭＩケーブルにおける電源ラインの状態に基づいて、ＨＤＭＩソース機器１００及びＨＤＭＩシンク機器５００のどちらが接続されたかを自動的に判別する。例えば、電源ラインを介してＨＤＭＩ機器からＨＤＭＩ変換器に５Ｖ電源が供給されている場合に、そのＨＤＭＩ変換器は、接続されたＨＤＭＩ機器をＨＤＭＩソース機器１００と判別する。その結果、ＨＤＭＩ変換器は、ＨＤＭＩソース変換器２００として機能する。また、電源ラインを介してＨＤＭＩ機器からＨＤＭＩ変換器に５Ｖ電源が引き込まれている場合に、そのＨＤＭＩ変換器は、接続されたＨＤＭＩ機器をＨＤＭＩシンク機器５００と判別する。その結果、ＨＤＭＩ変換器は、ＨＤＭＩシンク変換器４００として機能する。
【００２３】
［データ転送システムの機能構成］
次に、本実施の形態に係るデータ転送システム１０００の機能構成について説明する。図２は、実施の形態１に係るデータ転送システム１０００の機能構成を示すブロック図である。
【００２４】
図２に示すように、データ転送システム１０００は、ＨＤＭＩソース機器１００と、ＨＤＭＩソース変換器２００と、コントローラ３００と、ＨＤＭＩシンク変換器４００と、ＨＤＭＩシンク機器５００と、を備える。以下に、データ転送システム１０００を構成する各装置の機能構成について詳細に説明する。
【００２５】
［ＨＤＭＩソース機器の機能構成］
ＨＤＭＩソース機器１００は、第一機器の一例である。ＨＤＭＩソース機器１００は、ＨＤＭＩ通信プロトコルに基づく第一信号をＨＤＭＩソース変換器２００に出力する。
【００２６】
第一信号は、映像信号、音響信号、制御信号又はそれらの任意の組合せである。より具体的には、第一信号は、例えばＴＭＤＳ（Transition Minimized Differential Signaling）により伝送され、ＨＤＣＰ（High-bandwidth Digital Content Protection）により暗号化されるデジタル映像信号である。また、第一信号は、機器間認証で用いられるＤＤＣ(Display Data Channel)信号であってもよい。また、第一信号は、制御信号として用いられるＣＥＣ（Consumer Electronics Control）信号であってもよい。
【００２７】
［ＨＤＭＩソース変換器の機能構成］
ＨＤＭＩソース変換器２００は、第一変換器の一例である。ＨＤＭＩソース変換器２００は、ＨＤＭＩインタフェース部２１０と、変換部２２０と、ＩＰインタフェース部２３０と、を備える。
【００２８】
ＨＤＭＩインタフェース部２１０は、第一インタフェース部の一例であり、ＨＤＭＩ通信プロトコルに基づく第一信号をＨＤＭＩソース機器１００から入力する。
【００２９】
変換部２２０は、第一変換部の一例であり、ＨＤＭＩインタフェース部２１０に入力された第一信号に、コントローラ３００から受信したネットワーク３０００上のアドレス情報を付加することにより、ＨＤＭＩ通信プロトコルに基づく第一信号をインターネットプロトコルに基づく第二信号に変換する。アドレス情報は、例えばＩＰアドレス、ＭＡＣ（Media Access Control）アドレス等を示す情報である。具体的には、変換部２２０は、コントローラ３００から受信したアドレス情報を宛先のアドレス情報として第一信号に付加する。したがって、第二信号は、コントローラ３００から受信したアドレスをインターネットプロトコルに基づく宛先のアドレスとして持っている。なお、変換部２２０は、コントローラ３００から受信したアドレス情報と異なる情報を第一信号に付加してもよいし、第一信号に含まれる情報を削除してもよい。例えば、変換部２２０は、コントローラ３００から受信したアドレス情報に加えて、ＨＤＭＩソース変換器２００のアドレス情報を送信元のアドレス情報として第一信号に付加してもよい。
【００３０】
ＩＰインタフェース部２３０は、第二インタフェース部の一例であり、ネットワーク３０００を介して、コントローラ３００から、ＨＤＭＩシンク変換器４００のネットワーク３０００上のアドレス情報を受信する。さらに、ＩＰインタフェース部２３０は、ネットワーク３０００を介して、変換部２２０によって変換された第二信号をＨＤＭＩシンク変換器４００に送信する。
【００３１】
［コントローラの機能構成］
コントローラ３００は、ＩＰインタフェース部３１０と、制御部３２０と、記憶部３３０と、表示部３４０と、入力部３５０と、を備える。
【００３２】
ＩＰインタフェース部３１０は、第五インタフェース部の一例である。ＩＰインタフェース部３１０は、ネットワーク３０００を介して、ＨＤＭＩソース変換器２００から、ＨＤＭＩソース機器１００の機器情報及びＨＤＭＩソース変換器２００のアドレス情報を受信する。また、ＩＰインタフェース部３１０は、ネットワーク３０００を介して、ＨＤＭＩシンク変換器４００から、ＨＤＭＩシンク機器５００の機器情報及びＨＤＭＩシンク変換器４００のアドレス情報を受信する。機器情報は、例えば、機器の識別情報及び機器の種別を含む。機器の種別は、例えばソース又はシンクを示す。
【００３３】
さらに、ＩＰインタフェース部３１０は、ＨＤＭＩソース変換器２００のアドレス情報をＨＤＭＩシンク変換器４００に送信し、ＨＤＭＩシンク変換器４００のアドレス情報をＨＤＭＩソース変換器２００に送信する。
【００３４】
制御部３２０は、ＨＤＭＩソース機器１００の機器情報及びＨＤＭＩシンク機器５００の機器情報を記憶部３３０に格納する。例えば、制御部３２０は、ＨＤＭＩソース機器１００及びＨＤＭＩシンク機器５００の機器情報を機器接続テーブルに記録する。
【００３５】
記憶部３３０は、ＨＤＭＩ機器の接続を管理するための機器接続テーブルを記憶している。図３は、実施の形態１における機器接続テーブル３３０ａの一例を示す図である。機器接続テーブル３３０ａは、機器ＩＤ３３１、種別３３２、ＩＰアドレス３３３、機器名称３３４、部屋名称３３５、接続機器ＩＤ３３６及び使用状態３３７を含む。
【００３６】
機器ＩＤ３３１は、ＨＤＭＩ機器の識別情報である。図３では、Ａ〜Ｃ及びＸ〜Ｚで識別される６つのＨＤＭＩ機器が登録されている。なお、これらのＡ〜Ｃ及びＸ〜Ｚの６つのＨＤＭＩ機器は、図１のＨＤＭＩソース機器１００ａ、１００ｂ、１００ｃ及びＨＤＭＩシンク機器５００ｘ、５００ｙ、５００ｚに一対一で対応する。
【００３７】
種別３３２は、ＨＤＭＩ機器がソースであるかシンクであるかを示す情報である。図３では、例えば機器ＩＤ「Ａ」を有するＨＤＭＩ機器の種別が「ソース」であることが示されている。
【００３８】
ＩＰアドレス３３３は、ＨＤＭＩ機器に接続された変換器のネットワーク３０００上のアドレス情報である。図３では、例えば機器ＩＤ「Ａ」を有するＨＤＭＩ機器に接続された変換器のＩＰアドレスが「１９２．１６８．０．１１」であることが示されている。
【００３９】
機器名称３３４は、ＨＤＭＩ機器の名称情報である。図３では、例えば機器ＩＤ「Ａ」を有するＨＤＭＩ機器の名称が「ＢＤプレーヤ１」であることが示されている。
【００４０】
部屋名称３３５は、ＨＤＭＩ機器が設置されている部屋の名称情報である。図３では、例えば機器ＩＤ「Ａ」を有するＨＤＭＩ機器が「第一部屋」に設置されていることが示されている。この部屋名称３３５は、ＨＤＭＩ機器から取得することが難しいので、例えば、ユーザ入力によって取得される。
【００４１】
接続機器ＩＤ３３６は、接続先の機器の識別情報である。図３では、例えば機器ＩＤ「Ａ」を有するＨＤＭＩ機器に、機器ＩＤ「Ｙ」を有するＨＤＭＩ機器が接続されていることが示されている。
【００４２】
使用状態３３７は、ＨＤＭＩ機器が使用されているか否かを示す情報である。例えば、ＨＤＭＩ接続された機器間で映像信号が通信されていれば、使用状態３３７には「１」が記録され、そうでなければ「０」が記録される。図３では、例えば機器ＩＤ「Ａ」及び「Ｙ」を有するＨＤＭＩ機器間で映像信号が通信されていることが示されている。
【００４３】
表示部３４０は、例えば液晶ディスプレイであり、機器情報を表示する。本実施の形態では、制御部３２０は、記憶部３３０に記憶されている機器接続テーブル３３０ａを参照して、表示部３４０に機器リストを表示する。
【００４４】
入力部３５０は、例えばタッチパネルであり、表示部３４０に表示された機器情報に基づいて、ＨＤＭＩ機器のペアリングのための入力を受ける。なお、表示部３４０及び入力部３５０は、タッチスクリーンによって実現されてもよい。この場合、入力部３５０は、表示部３４０に表示されたＧＵＩに対するタッチ入力によりペアリングのための入力を受けてもよい。
【００４５】
［ＨＤＭＩシンク変換器の機能構成］
ＨＤＭＩシンク変換器４００は、第二変換器の一例である。ＨＤＭＩシンク変換器４００は、ＨＤＭＩインタフェース部４１０と、変換部４２０と、ＩＰインタフェース部４３０と、を備える。
【００４６】
ＨＤＭＩインタフェース部４１０は、第三インタフェース部の一例であり、ＨＤＭＩ通信プロトコルに基づく第一信号をＨＤＭＩシンク機器５００に出力する。
【００４７】
変換部４２０は、第二変換部の一例であり、ＩＰインタフェース部４３０で受信された第二信号からアドレス情報を除去することにより、インターネットプロトコルに基づく第二信号をＨＤＭＩ通信プロトコルに基づく第一信号に逆変換する。
【００４８】
ＩＰインタフェース部４３０は、第四インタフェース部の一例であり、ネットワーク３０００を介して、ＨＤＭＩソース変換器２００から第二信号を受信する。
【００４９】
［ＨＤＭＩシンク機器の機能構成］
ＨＤＭＩシンク機器５００は、第二機器の一例であり、ＨＤＭＩ通信プロトコルに基づく第一信号を入力し、第一信号に基づいて処理を行う。例えば、第一信号が映像音響信号である場合、ＨＤＭＩシンク機器５００は、第一信号に基づいて、映像を表示し音を出力する。また例えば、第一信号が制御信号である場合、ＨＤＭＩシンク機器５００は、制御信号に基づいて当該機器の動作を制御する。
【００５０】
［データ転送システムの動作］
以上のように構成されたデータ転送システム１０００の動作について、図４Ａ〜図６を参照して具体的に説明する。
【００５１】
図４Ａ、図４Ｂ及び図５は、実施の形態１に係るデータ転送システム１０００のシーケンス図である。図６は、実施の形態１におけるＧＵＩの一例を示す図である。
【００５２】
図４Ａに示すように、まず、ＨＤＭＩ変換器に、電源ＯＮされたＨＤＭＩソース機器１００がＨＤＭＩケーブルを介して接続される（Ｓ１２）。このとき、ＨＤＭＩ変換器は、電源ラインの状態に基づいて、接続された機器の種別を判別する（Ｓ１４）。ここでは、当該ＨＤＭＩ変換器は、接続された機器をＨＤＭＩソース機器１００と判別する。その結果、ＨＤＭＩ変換器は、ＨＤＭＩソース変換器２００として機能する（Ｓ１６）。
【００５３】
同様に、ＨＤＭＩ変換器に電源ＯＮされたＨＤＭＩシンク機器５００がＨＤＭＩケーブルを介して接続される（Ｓ２２）。このとき、ＨＤＭＩ変換器は、電源ラインの状態に基づいて、接続された機器の種別を判別する（Ｓ２４）。ここでは、当該ＨＤＭＩ変換器は、接続された機器をＨＤＭＩシンク機器５００と判別する。その結果、ＨＤＭＩ変換器は、ＨＤＭＩシンク変換器４００として機能する（Ｓ２６）。
【００５４】
以降の図面及び説明では、ＨＤＭＩソース機器１００に接続されたＨＤＭＩ変換器をＨＤＭＩソース変換器２００と記載し、ＨＤＭＩシンク機器５００に接続されたＨＤＭＩ変換器をＨＤＭＩシンク変換器４００と記載する。
【００５５】
その後、図４Ｂに示すように、ＨＤＭＩソース機器１００の電源が再びＯＮされると（Ｓ１０２）、ＨＤＭＩソース変換器２００のＨＤＭＩインタフェース部２１０は、ＨＤＭＩソース機器１００から第一機器情報を取得する。ＨＤＭＩソース変換器２００のＩＰインタフェース部２３０は、取得した第一機器情報をコントローラ３００に送信する（Ｓ１０６）。同様に、ＨＤＭＩシンク機器５００の電源が再びＯＮされると（Ｓ１０４）、ＨＤＭＩシンク変換器４００は、ＨＤＭＩシンク機器５００から第二機器情報を取得し、取得した第二機器情報をコントローラ３００に送信する（Ｓ１０８）。
【００５６】
コントローラ３００の制御部３２０は、第一機器情報及び送信元のＩＰアドレスと、第二機器情報及び送信元のＩＰアドレスとを機器接続テーブル３３０ａに登録する（Ｓ１１０）。ここで、部屋名称の情報が第一機器情報及び第二機器情報に含まれていない場合は、ユーザに部屋名称の入力を求めてもよい。
【００５７】
続いて、制御部３２０は、機器接続テーブル３３０ａに基づいて機器リストを表示部３４０に表示する（Ｓ１１２）。例えば、図６の（ａ）に示すように、制御部３２０は、ソース機器とシンク機器とを区別して、機器名称及び部屋名称を含む機器リストを表示部３４０に表示する。
【００５８】
入力部３５０は、ＨＤＭＩソース機器１００とＨＤＭＩシンク機器５００とのペアリングのための入力を受ける（Ｓ１１４）。例えば、図６の（ｂ）に示すように、入力部３５０は、ペアリングの対象となるＨＤＭＩソース機器を起点としたＨＤＭＩシンク機器の方向へのフリック入力を、ペアリングのための入力として受ける。なお、フリック入力は、ペアリングのための入力の一例であり、ＨＤＭＩ機器のペアを特定できればどのような入力であってもよい。
【００５９】
制御部３２０は、機器接続テーブル３３０ａの接続機器ＩＤ３３６を更新するとともに、表示部３４０に表示された機器リストを更新する（Ｓ１１６）。例えば、機器ＩＤが「Ａ」及び「Ｙ」の機器のペアリングのための入力を入力部３５０が受けた場合、制御部３２０は、図３に示すように、機器ＩＤ「Ａ」の接続機器ＩＤ３３６に「Ｙ」を記録し、機器ＩＤ「Ｙ」の接続機器ＩＤ３３６に「Ａ」を記録する。さらに、制御部３２０は、例えば図６の（ｃ）に示すように、表示部３４０に表示された機器リストの「Ａ」及び「Ｙ」に対応する機器情報の間に接続線を表示する。
【００６０】
制御部３２０は、ＩＰインタフェース部３１０を介して、ペアリング入力によって選択されたＨＤＭＩソース機器１００及びＨＤＭＩシンク機器５００に対応するＩＰアドレスを有するＨＤＭＩソース変換器２００及びＨＤＭＩシンク変換器４００に接続指示メッセージを送信する（Ｓ１１８）。接続指示メッセージは、第一メッセージの一例である。このとき、制御部３２０は、ＨＤＭＩソース変換器２００にはＨＤＭＩシンク変換器４００のＩＰアドレスを送信し、ＨＤＭＩシンク変換器４００にはＨＤＭＩソース変換器２００のＩＰアドレスを送信する。
【００６１】
この接続指示メッセージに応じて、ＨＤＭＩソース機器１００とＨＤＭＩシンク機器５００とのＨＤＭＩ接続のための処理が行われる。ＨＤＭＩ接続のための処理は、ＨＤＭＩ標準規格に基づく処理である。このとき、ＨＤＭＩソース機器１００とＨＤＭＩシンク機器５００との間で通信されるＨＤＭＩ信号は、ＨＤＭＩソース変換器２００及びＨＤＭＩシンク変換器４００によってＩＰ信号に変換され、ネットワーク３０００を介して通信される。
【００６２】
次に、図５に示すように、ＨＤＭＩソース機器１００及びＨＤＭＩシンク機器５００の間のＨＤＭＩ接続が確立されると、ＨＤＭＩソース機器１００は、ＨＤＭＩ通信プロトコルに基づく第一信号の出力を開始する（Ｓ１２４）。例えば、ＨＤＭＩソース機器１００は、ＨＤＭＩケーブルを介して映像信号をＨＤＭＩソース変換器２００に出力する。
【００６３】
ＨＤＭＩソース変換器２００の変換部２２０は、ＨＤＭＩインタフェース部２１０を介して受信した第一信号にＨＤＭＩシンク変換器４００のアドレス情報を付加する。これにより、変換部２２０は、ＨＤＭＩ通信プロトコルに基づく第一信号をインターネットプロトコルに基づく第二信号に変換する（Ｓ１２６）。具体的には、変換部２２０は、ＨＤＭＩシンク変換器４００のＩＰアドレスを宛先ＩＰアドレスとして第一信号に付加する。
【００６４】
ＨＤＭＩソース変換器２００のＩＰインタフェース部２３０は、通信開始メッセージをコントローラ３００に送信し、第二信号をＨＤＭＩシンク変換器４００に送信する。この通信開始メッセージは、第二メッセージの一例である。
【００６５】
ＨＤＭＩシンク変換器４００の変換部４２０は、ＩＰインタフェース部４３０を介して受信した第二信号からアドレス情報を除去することにより、第二信号を第一信号に逆変換する（Ｓ１２８）。逆変換された第一信号は、ＨＤＭＩインタフェース部４１０を介してＨＤＭＩシンク機器５００に出力される。
【００６６】
ＨＤＭＩシンク機器５００は、第一信号に基づいて映像を表示する（Ｓ１３０）。
【００６７】
また、コントローラ３００の制御部３２０は、通信開始メッセージに基づいて、機器接続テーブル３３０ａの使用状態３３７を更新し、表示部３４０に表示された機器リストを更新する（Ｓ１３２）。例えば、機器ＩＤが「Ａ」のＨＤＭＩソース機器１００に対応するＨＤＭＩソース変換器２００から通信開始メッセージを受信した場合、制御部３２０は、図３に示すように、機器ＩＤ「Ａ」及び「Ｙ」の使用状態３３７に「１」を記録する。さらに、制御部３２０は、図６の（ｄ）に示すように、表示部３４０に表示された機器リストの「Ａ」及び「Ｙ」に対応する機器情報の表示態様を変更して、例えば機器情報をグレーアウトする。さらに、入力部３５０は、機器リストの「Ａ」及び「Ｙ」に対応する機器情報に対するペアリングのための入力を禁止する。つまり、「Ａ」及び「Ｙ」の機器間のＨＤＭＩ接続の解除が禁止される。
【００６８】
ＨＤＭＩソース機器１００は、第一信号の出力を終了する（Ｓ１３４）。このとき、ＨＤＭＩソース変換器２００のＩＰインタフェース部２３０は、通信終了メッセージをコントローラ３００に送信する。
【００６９】
コントローラ３００の制御部３２０は、通信終了メッセージに基づいて、機器接続テーブル３３０ａの使用状態３３７を更新し、表示部３４０に表示された機器リストを更新する（Ｓ１３６）。例えば、機器ＩＤが「Ａ」のＨＤＭＩソース機器１００に対応するＨＤＭＩソース変換器２００から通信終了メッセージを受信した場合、制御部３２０は、機器ＩＤ「Ａ」及び「Ｙ」の使用状態３３７に「０」を記録する。さらに、制御部３２０は、図６の（ｃ）に示すように、表示部３４０に表示された機器リストの「Ａ」及び「Ｙ」に対応する機器情報のグレーアウトを解除する。これにより、機器リストの「Ａ」及び「Ｙ」に対応する機器情報に対するペアリングのための入力が許可される。つまり、「Ａ」及び「Ｙ」の機器間のＨＤＭＩ接続の解除が許可される。
【００７０】
なお、ステップＳ１０６又はＳ１０８において送信された機器情報が既に機器接続テーブル３３０ａに登録されている場合には、制御部３２０は、当該機器情報に含まれる機器ＩＤの接続機器ＩＤを参照して接続指示メッセージを送信してもよい。
【００７１】
［効果等］
以上のように、本実施の形態に係るデータ転送システム１０００は、ＨＤＭＩソース機器１００と、ＨＤＭＩ通信プロトコルで通信可能にＨＤＭＩソース機器１００と接続され、かつ、インターネットプロトコルに基づくネットワーク３０００に接続されたＨＤＭＩソース変換器２００と、ＨＤＭＩシンク機器５００と、ＨＤＭＩ通信プロトコルで通信可能にＨＤＭＩシンク機器５００と接続され、かつ、ネットワーク３０００に接続されたＨＤＭＩシンク変換器４００と、ネットワーク３０００に接続されたコントローラ３００と、を備える。ＨＤＭＩソース変換器２００は、ＨＤＭＩソース機器１００から、ＨＤＭＩ通信プロトコルに基づく第一信号を入力するＨＤＭＩインタフェース部２１０と、ネットワーク３０００を介して、コントローラ３００からＨＤＭＩシンク変換器４００のネットワーク３０００上のアドレス情報を受信するＩＰインタフェース部２３０と、第一信号にアドレス情報を付加することにより、ＨＤＭＩ通信プロトコルに基づく第一信号をインターネットプロトコルに基づく第二信号に変換する変換部２２０と、を備える。ＩＰインタフェース部２３０は、ネットワーク３０００を介してＨＤＭＩシンク変換器４００へ第二信号を送信する。また、ＨＤＭＩシンク変換器４００は、ネットワーク３０００を介して、ＨＤＭＩソース変換器２００から第二信号を受信するＩＰインタフェース部４３０と、第二信号からアドレス情報を除去することにより、第二信号を第一信号に逆変換する変換部４２０と、変換部４２０によって逆変換された第一信号を、ＨＤＭＩ通信プロトコルに基づいてＨＤＭＩシンク機器５００に出力するＨＤＭＩインタフェース部４１０と、を備える。
【００７２】
これによれば、ＨＤＭＩソース機器１００及びＨＤＭＩシンク機器５００の間の通信にインターネットプロトコルに基づくネットワーク３０００を利用することができ、ＨＤＭＩケーブルによる配線の煩雑さを軽減することができる。さらに、ＨＤＭＩソース変換器２００は、コントローラ３００から受信したアドレス情報を第一信号に付加することにより第一信号を第二信号に変換することができる。したがって、コントローラ３００からＨＤＭＩソース変換器２００に送信されるアドレス情報を変更することで、ＨＤＭＩソース変換器２００から送信される第二信号の宛先アドレスを変更することができる。なお、ＨＤＭＩソース変換器２００及びＨＤＭＩシンク変換器４００には、ＨＤＭＩソース機器１００及びＨＤＭＩシンク機器５００に接続される。したがって、第二信号の宛先アドレスを変更することで、ＨＤＭＩソース機器１００から送信される第一信号が到達するＨＤＭＩシンク機器５００を変更することができる。つまり、コントローラ３００からＨＤＭＩソース変換器２００に送信されるアドレス情報を変更することで、ＨＤＭＩソース機器１００とＨＤＭＩシンク機器５００との間の接続関係を容易に変更することができる。
【００７３】
また、本実施の形態に係るデータ転送システム１０００において、ＨＤＭＩソース変換器２００のＨＤＭＩインタフェース部２１０は、ＨＤＭＩソース機器１００から第一機器情報を入力し、ＨＤＭＩシンク変換器４００のＨＤＭＩインタフェース部４１０は、ＨＤＭＩシンク機器５００から第二機器情報を入力する。コントローラ３００は、ネットワーク３０００を介して、ＨＤＭＩソース変換器２００から第一機器情報及びＨＤＭＩソース変換器２００のネットワーク３０００上の第一アドレス情報を受信し、かつ、ＨＤＭＩシンク変換器４００から第二機器情報及びＨＤＭＩシンク変換器４００のネットワーク３０００上の第二アドレス情報を受信するＩＰインタフェース部３１０と、第一機器情報及び第二機器情報を表示する表示部３４０と、表示部３４０に表示された第一機器情報及び第二機器情報に基づいて、ＨＤＭＩソース機器１００及びＨＤＭＩシンク機器５００のペアリングのための入力を受ける入力部３５０と、を備える。入力部３５０がペアリングのための入力を受けた場合に、ＩＰインタフェース部３１０は、ネットワーク３０００を介して、ＨＤＭＩソース機器１００とＨＤＭＩシンク機器５００との間でＨＤＭＩ通信プロトコルに基づく接続を確立するため接続指示メッセージ及び第二アドレス情報をＨＤＭＩソース変換器２００に送信し、接続指示メッセージ及び第一アドレス情報をＨＤＭＩシンク変換器４００に送信する。
【００７４】
これによれば、コントローラ３００は、表示された第一機器情報及び第二機器情報に基づいて、ＨＤＭＩソース機器１００及びＨＤＭＩシンク機器５００のペアリングのための入力を受けることができる。そして、このペアリングための入力に基づいて、第一アドレス情報及び第二アドレス情報をＨＤＭＩシンク変換器４００及びＨＤＭＩソース変換器２００に送信することができ、ＨＤＭＩソース機器１００及びＨＤＭＩシンク機器５００の間のＨＤＭＩ接続を確立することができる。つまり、コントローラ３００は、ペアリングのための入力に基づいて、ＨＤＭＩソース機器とＨＤＭＩシンク機器との接続を容易に変更することができる。
【００７５】
また、本実施の形態に係るデータ転送システム１０００において、ＨＤＭＩソース変換器２００のＩＰインタフェース部２３０は、ＨＤＭＩシンク変換器４００に第二信号の送信を開始するときに、コントローラ３００に通信開始メッセージを送信し、コントローラ３００の表示部３４０は、ＩＰインタフェース部３１０が通信開始メッセージを受信した場合に、第一機器情報の表示態様を変更する。
【００７６】
これによれば、コントローラ３００は、通信開始メッセージに応じて第一機器情報の表示態様を変更することができる。したがって、ユーザは、ＨＤＭＩソース機器１００の使用状態を視認することができ、ペアリングのための入力を適切に行うことができる。
【００７７】
また、本実施の形態に係るデータ転送システム１０００において、コントローラ３００の入力部３５０は、ＩＰインタフェース部３１０が通信開始メッセージを受信した場合に、ＨＤＭＩソース機器１００に対するペアリングのための入力を禁止する。
【００７８】
これによれば、ＨＤＭＩ通信プロトコル及びインターネットプロトコルに基づいて信号が通信されているＨＤＭＩソース機器１００及びＨＤＭＩシンク機器５００の間の接続がペアリングのための入力によって突然解除されることを防ぐことができる。
【００７９】
（実施の形態２）
次に、実施の形態２について説明する。本実施の形態では、ネットワーク通信に電力線通信（ＰＬＣ）を用いる点が、上記実施の形態１と異なる。本実施の形態２に係るＨＤＭＩソース変換器及びデータ転送システムについて、上記実施の形態１と異なる点を中心に説明する。
【００８０】
［変換器のハードウェア構成］
図７は、実施の形態２に係るＨＤＭＩソース変換器２００Ａ及びＨＤＭＩシンク変換器４００Ａの斜視図である。図７において、外部から見えない構造は破線で表されている。
【００８１】
ＨＤＭＩソース変換器２００Ａ及びＨＤＭＩシンク変換器４００Ａは、電子基板４０を収容する筐体１０と、電力ソケット２０と、ＨＤＭＩソケット３０と、を備える。
【００８２】
筐体１０は、例えば樹脂製であり、略直方体形状の箱体である。なお、筐体１０の形状は、どのような形状でもよく、これに限定されない。
【００８３】
電力ソケット２０は、第一ソケットの一例である。電力ソケット２０は、交流電力を供給するためのソケットであり、筐体１０の第一面に配置されている。電力ソケット２０には、例えばＨＤＭＩソース機器１００の電力プラグが挿入される。
【００８４】
ＨＤＭＩソケット３０は、第二ソケットの一例であり、筐体１０の第二面に配置されている。本実施の形態では、第二面は、第一面と異なる面であり、第一面に隣接する面である。ＨＤＭＩソケット３０には、ＨＤＭＩケーブルのＨＤＭＩ接続プラグが挿入される。
【００８５】
電子基板４０は、電子回路が実装された基板であり、変換部２２０、４２０等として機能する。
【００８６】
［データ転送システムの機能構成］
次に、本実施の形態に係るデータ転送システムの機能構成について図８を参照して説明する。図８は、実施の形態２に係るデータ転送システム１０００Ａの機能構成を示すブロック図である。図８において太線は電力線を表す。
【００８７】
データ転送システム１０００Ａは、ＨＤＭＩソース機器１００と、ＨＤＭＩソース変換器２００Ａと、コントローラ３００と、ＨＤＭＩシンク変換器４００と、ＨＤＭＩシンク機器５００と、ＰＬＣモデム６００と、を備える。以下に、データ転送システム１０００Ａの各構成要素について実施の形態１と異なる点を中心に説明する。
【００８８】
［ＨＤＭＩソース変換器の機能構成］
ＨＤＭＩソース変換器２００Ａは、ＨＤＭＩインタフェース部２１０Ａと、変換部２２０と、ＩＰインタフェース部２３０と、電力線通信部２４０Ａと、電力供給部２５０Ａと、を備える。
【００８９】
ＨＤＭＩインタフェース部２１０Ａは、ＨＤＭＩソケット３０を介してＨＤＭＩソース機器１００から第一信号を入力する。
【００９０】
ＩＰインタフェース部２３０Ａは、電力線通信部２４０Ａを備える。電力線通信部２４０Ａは、電力線を通信回線として用いるために、第二信号に基づいて所定の搬送信号を変調して変調信号を電力線に出力する。これにより、第二信号は、ネットワーク３０００を介してＨＤＭＩシンク変換器４００Ａに送信される。なお、変調方式は、特に限定されず、従来技術が用いられればよい。
【００９１】
電力供給部２５０Ａは、ＨＤＭＩソース機器１００に電力を供給する。本実施の形態では、電力供給部２５０Ａは、電力ソケット２０を介してＨＤＭＩソース機器１００に電力を供給する。
【００９２】
［ＨＤＭＩシンク変換器の機能構成］
ＨＤＭＩシンク変換器４００Ａは、ＨＤＭＩインタフェース部４１０Ａと、変換部４２０と、ＩＰインタフェース部４３０と、電力線通信部４４０Ａと、電力供給部４５０Ａと、を備える。
【００９３】
ＨＤＭＩインタフェース部４１０Ａは、ＨＤＭＩソケット３０を介してＨＤＭＩシンク機器５００に第一信号を出力する。
【００９４】
ＩＰインタフェース部４３０Ａは、電力線通信部４４０Ａを備える。電力線通信部４４０Ａは、電力線から得られる変調信号を復調することにより、第二信号を取得する。第二信号は、変換部４２０に入力され、第一信号に逆変換される。
【００９５】
電力供給部４５０Ａは、ＨＤＭＩシンク機器５００に電力を供給する。本実施の形態では、電力供給部４５０Ａは、電力ソケット２０を介してＨＤＭＩシンク機器５００に電力を供給する。
【００９６】
［ＰＬＣモデムの機能構成］
ＰＬＣモデム６００は、コントローラ３００のＩＰインタフェース部３１０から送信された信号に基づいて所定の搬送信号を変調して変調信号を電力線に出力する。また、ＰＬＣモデム６００は、電力線から入力された変調信号を復調してＩＰインタフェース部３１０に出力する。これにより、コントローラ３００は、ＰＬＣモデム６００を介して、電力線を通信回線として用いることができる。
【００９７】
なお、ＰＬＣモデム６００はコントローラ３００に含まれてもよい。また、図８では、電源を供給するラインと、ＰＬＣで使用するラインとが同一であったが、これらは別々であってもよい。この場合、ＰＣＬに用いられるラインで供給される電力は、交流電力に限られず、直流電力であってもよい。
【００９８】
［効果等］
以上のように、本実施の形態に係るＨＤＭＩソース変換器２００Ａ及びＨＤＭＩシンク変換器４００Ａは、第二信号に基づいて所定の搬送信号を変調して変調信号を電力線に出力する電力線通信部２４０Ａを備える。
【００９９】
これにより、ＨＤＭＩソース機器１００及びＨＤＭＩシンク機器５００等に電力を供給するために必要な電力線を通信回線として利用することができる。したがって、ネットワーク３０００のためのケーブル（例えばＬＡＮケーブル）を省略することができ、配線の煩雑さをさらに軽減することができる。
【０１００】
また、本実施の形態に係るＨＤＭＩソース変換器２００Ａ及びＨＤＭＩシンク変換器４００Ａは、電力線通信部２４０Ａ及び変換部２２０を収容する筐体１０と、筐体１０の第一面に配置された電力供給のための電力ソケット２０と、筐体１０の第二面に配置されたＨＤＭＩソケット３０と、を備え、ＨＤＭＩインタフェース部２１０Ａは、ＨＤＭＩソケット３０を介して第一信号を入力する。
【０１０１】
これにより、電力ソケット２０及びＨＤＭＩソケット３０を同一の筐体１０に設けることができ、ＨＤＭＩソース変換器２００Ａ又はＨＤＭＩシンク変換器４００Ａを例えば電源タップ（power strip）として実現することができる。その結果、さらに配線の煩雑さを軽減することができる。
【０１０２】
（実施の形態２の変形例）
上記実施の形態２では、電力ソケットとＨＤＭＩソケットとが異なる面に配置されていたが、同一の面に配置されてもよい。本変形例では、このようなＨＤＭＩソース変換器２００Ａ及びＨＤＭＩシンク変換器４００Ａのハードウェア構成について図９を参照しながら説明する。
【０１０３】
図９は、実施の形態２の変形例に係る変換器の斜視図である。図９に示すように、ＨＤＭＩソース変換器２００Ａ及びＨＤＭＩシンク変換器４００Ａは、筐体１０Ａと、電力ソケット２０と、ＨＤＭＩソケット３０Ａと、電子基板４０とを備える。
【０１０４】
筐体１０Ａの壁面に露出する前面には、電力ソケット２０に加えてＨＤＭＩソケット３０Ａが配置されている。筐体１０Ａは、壁に埋め込まれる。
【０１０５】
以上のように、本変形例に係るＨＤＭＩソース変換器２００Ａ及びＨＤＭＩシンク変換器４００Ａにおいて、電力ソケット２０が配置された第一面とＨＤＭＩソケット３０Ａが配置された第二面とは、同一の面である。
【０１０６】
これにより、電力ソケット２０及びＨＤＭＩソケット３０Ａを筐体１０の同一の面に設けることができ、ＨＤＭＩソース変換器２００Ａ及びＨＤＭＩシンク変換器４００Ａを壁埋め込み型の電源コンセント（wall-embedded power outlet）として実現することができる。
【０１０７】
（他の実施の形態）
以上、本発明の１つまたは複数の態様に係るデータ転送システム及び変換器について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の１つまたは複数の態様の範囲内に含まれてもよい。
【０１０８】
例えば、上記各実施の形態では、機器と変換器とはＨＤＭＩによって接続されていたが、ＵＳＢによって接続されてもよい。この場合、ＨＤＭＩソース機器及びＨＤＭＩシンク機器は、それぞれＵＳＢホスト機器またはＵＳＢデバイス機器に置き換えられる。ＨＤＭＩ変換器も同様にＵＳＢに対応するＵＳＢ変換器に置き換えられる。ただし、ＵＳＢで接続される場合、接続された機器がホスト機器であるか、デバイス機器であるかの判別方法は、ＨＤＭＩ接続の場合と違うところがある。
【０１０９】
以下、ＵＳＢ接続における接続機器の判別方法についての説明を補足する。ＵＳＢコネクタとしては、Ｔｙｐｅ―Ａ、Ｔｙｐｅ−Ｂ（ミニ、マイクロ等を含む）、Ｔｙｐｅ−Ｃなどが現状存在している。
【０１１０】
Ｔｙｐｅ−ＡのＵＳＢコネクタに接続される機器はデバイス機器に限定され、Ｔｙｐｅ−ＢのＵＳＢコネクタに接続される機器はホスト機器に限定される。したがって、Ｔｙｐｅ−ＡのＵＳＢコネクタに接続された機器は固定的にデバイス機器と判別され、Ｔｙｐｅ−ＢのＵＳＢコネクタに接続された機器は固定的にホスト機器と判別される。一方、Ｔｙｐｅ−ＣのＵＳＢコネクタは、ホスト機器及びデバイス機器の両方が接続されうる。そこで、ＵＳＢコネクタ中のＣＣ信号に基づいて、Ｔｙｐｅ−ＣのＵＳＢコネクタに接続された機器がホスト機器及びデバイス機器のどちらであるかが判別される。
【０１１１】
ＵＳＢ変換器は、それらの判別結果を示す情報をコントローラ３００に伝える。その結果、コントローラ３００は、ＨＤＭＩにおけるソース機器及びシンク機器と同様に、ホスト機器及びデバイス機器が区別してリストアップされた機器リストを表示することができる。さらに、コントローラ３００は、ＨＤＭＩの場合と同様に、ホスト機器とデバイス機器とをペアリングするための入力をユーザから受けることができる。
【０１１２】
このように、ＨＤＭＩの代わりにＵＳＢが用いられる場合であっても、ＵＳＢホスト機器及びＵＳＢデバイス機器の間の通信にインターネットプロトコルに基づくネットワーク３０００を利用することができ、ＵＳＢケーブルによる配線の煩雑さを軽減することができる。また、ＨＤＭＩの場合と同様に、ＵＳＢホスト機器及びＵＳＢデバイス機器の間の接続関係を容易に変更することもできる。なお、この場合、上記実施の形態２及びその変形例では、ＨＤＭＩソケットの代わりにＵＳＢコネクタが筐体の表面に配置されればよい。なお、上に述べたように、Ｔｙｐｅ−ＣのＵＳＢコネクタが配置された場合は、ホスト機器及びデバイス機器の両方を接続できるが、Ｔｙｐｅ−Ａ又はＴｙｐｅ−ＢのＵＳＢコネクタが配置された場合は、接続される機器の種類が限定される。
【０１１３】
なお、ＨＤＭＩ機器の代わりにＵＳＢ機器が変換器に接続されるのではなく、ＨＤＭＩ機器及びＵＳＢ機器の両方が変換器に接続されてもよい。この場合、変換器は、ＨＤＭＩ機器及びＵＳＢ機器の各々のためのインタフェース部を備えればよい。また、ＨＤＭＩソケット及びＵＳＢコネクタの両方が筐体の表面に配置されればよい。
【０１１４】
なお、上記各実施の形態では、コントローラが機器接続テーブルを用いて機器間の接続を管理していたが、接続管理方法はこれに限られない。例えば、変換器が個別に接続を管理してもよい。例えば、変換器が接続機器ＩＤ及びアドレス情報を保持し、コントローラからの要求に応じてコントローラに接続機器ＩＤ及びアドレス情報を提供してもよい。この場合でも、上記各実施の形態と同様の効果を得ることができる。
【０１１５】
なお、上記各実施の形態では、第一信号が映像信号又は映像音響信号である場合を中心に説明したが、第一信号はこれに限られない。第一信号は、例えば制御信号であってもよい。この場合、第一信号は、ＨＤＭＩソース機器からＨＤＭＩシンク機器へだけでなく、ＨＤＭＩシンク機器からＨＤＭＩソース機器へ送信されてもよい。つまり、ＨＤＭＩソース変換器及びＨＤＭＩシンク変換器の変換部は、ともに、第一信号から第二信号への変換及び第二信号から第一信号への逆変換を行ってもよい。この場合、ＨＤＭＩソース変換器とＨＤＭＩシンク変換器とは区別されなくてもよい。
【０１１６】
なお、上記各実施の形態では、データ転送システムは、１つのコントローラを備えていたが、複数のコントローラを備えてもよい。この場合、複数のコントローラのうちの１つが主コントローラとして機能し、残りのコントローラが副コントローラとして機能してもよい。例えば、主コントローラは、上記各実施の形態におけるコントローラと同等の機能を有し、さらに、機器接続テーブルを副コントローラに配信してもよい。
【０１１７】
なお、上記各実施の形態では、データ転送システムは、ＨＤＭＩソース機器及びＨＤＭＩシンク機器を含んでいたが、これに限られない。データ転送システムは、ＨＤＭＩソース機器及びＨＤＭＩシンク機器を含まなくてもよい。この場合、データ転送システムは、コントローラと、ＨＤＭＩソース変換器と、ＨＤＭＩシンク変換器と、を備える。
【０１１８】
また、上記各実施の形態におけるＨＤＭＩソース変換器及びＨＤＭＩシンク変換器が備える構成要素の一部または全部は、専用の電子回路で実現されてもよいし、汎用プロセッサ及びメモリで実現されてもよい。専用の電子回路は、１個のシステムＬＳＩ（Large Scale Integration：大規模集積回路）であってもよい。例えば、ＨＤＭＩソース変換器２００は、変換部２２０を有するシステムＬＳＩから構成されてもよい。
【０１１９】
また、本発明の一態様は、このようなデータ転送システム及び変換器だけではなく、データ転送システム及び変換器に含まれる特徴的な構成部をステップとするデータ転送方法及び変換方法であってもよい。また、本発明の一態様は、データ転送方法又は変換方法に含まれる特徴的な各ステップをコンピュータに実行させるコンピュータプログラムであってもよい。また、本発明の一態様は、そのようなコンピュータプログラムが記録された、コンピュータ読み取り可能な非一時的な記録媒体であってもよい。
【０１２０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１２１】
ＨＤＭＩ通信プロトコル又はＵＳＢ通信プロトコルに基づく信号をインターネットプロトコルに基づくネットワークを介して転送することができるデータ転送システム及び変換器として利用することができる。
【符号の説明】
【０１２２】
１０、１０Ａ  筐体
２０  電力ソケット
３０、３０Ａ  ＨＤＭＩソケット
４０  電子基板
１００、１００ａ、１００ｂ、１００ｃ  ＨＤＭＩソース機器
２００、２００Ａ、２００ａ、２００ｂ、２００ｃ  ＨＤＭＩソース変換器
２１０、２１０Ａ、４１０、４１０Ａ  ＨＤＭＩインタフェース部
２２０、４２０  変換部
２３０、２３０Ａ、３１０、４３０、４３０Ａ  ＩＰインタフェース部
２４０Ａ、４４０Ａ  電力線通信部
２５０Ａ、４５０Ａ  電力供給部
３００  コントローラ
３２０  制御部
３３０  記憶部
３３０ａ  機器接続テーブル
３４０  表示部
３５０  入力部
４００、４００Ａ、４００ｘ、４００ｙ、４００ｚ  ＨＤＭＩシンク変換器
５００、５００ｘ、５００ｙ、５００ｚ  ＨＤＭＩシンク機器
６００  ＰＬＣモデム
１０００、１０００Ａ  データ転送システム
２０００ａ、２０００ｂ、２０００ｃ、４０００ｘ、４０００ｙ、４０００ｚ  ＨＤＭＩケーブル
３０００  ネットワーク
【図１】
2019082263.tif 000003
【図２】
2019082263.tif 000004
【図３】
2019082263.tif 000005
【図４Ａ】
2019082263.tif 000006
【図４Ｂ】
2019082263.tif 000007
【図５】
2019082263.tif 000008
【図６】
2019082263.tif 000009
【図７】
2019082263.tif 000010
【図８】
2019082263.tif 000011
【図９】
2019082263.tif 000012
【国際調査報告】
2019082263.tif 000013
2019082263.tif 000014
2019082263.tif 000015
2019082263.tif 000016